(57)【要約】【課題】本発明は、管状器官の湾曲部に対して柔軟に変形することができ挿入時に長手方向の収縮が少なく容易に取り扱うことが可能なステント及び管状器官の治療具を提供する。【解決手段】ステント１は、５つの筒状ユニット体を軸方向に配列して連結糸Ｆにより連結して管状に一体形成されている。各筒状ユニットは、金属製線材を所定の長さに切断して周方向にジグザグ状に折り曲げて両端部を接続固定し、閉ループ状に形成されている。筒状ユニット体Ｗは、軸方向に突出した２つの屈曲部が形成されて筒状ユニット体Ｕ１に連結されており、揺動可能に保持されている。同様に筒状ユニット体Ｖも筒状ユニット体Ｗに揺動可能に保持されてステント全体が湾曲形状に容易に変形することができる。筒状ユニット体には軸方向にわたって形状記憶合金材料からなる形状保持部材Ｘ１及びＸ２が取り付けられて湾曲状態に保持される。【選択図】図１１
2008200293.tif 000002
【特許請求の範囲】
【請求項１】
閉ループに形成された線材を周方向にジグザグ状に屈曲して両側に複数の屈曲部を間隔を空けて形成し各屈曲部に係止部が形成されている筒状ユニット体を軸方向に複数配列し、隣接する筒状ユニット体の対向する係止部を連結糸により連結して管状に一体形成されたステントであって、少なくとも一部の筒状ユニット体は、少なくとも一方の側の屈曲部群において一部の屈曲部の係止部のみ隣接する筒状ユニット体に連結されて揺動可能に保持されていることを特徴とするステント。
【請求項２】
揺動可能に保持するために連結された前記屈曲部は、他の屈曲部よりも軸方向に突出形成されていることを特徴とする請求項１に記載のステント。
【請求項３】
揺動可能に保持された筒状ユニット体を含む複数の筒状ユニット体に取り付けられるとともに筒状ユニット体を揺動させて湾曲状態に保持する弾力性を有する形状保持部材を備えていることを特徴とする請求項１又は２に記載のステント。
【請求項４】
前記形状保持部材は、湾曲状に形成された弾性を有する線材からなりその両端部を筒状ユニット体に固定するとともに周方向に張設された連結糸によりステントの軸方向の外形状に沿うように保持されていることを特徴とする請求項３に記載のステント。
【請求項５】
一対の前記形状保持部材を一方の端部において間隔を空けて筒状ユニット体に固定し、互いに交差させて他方の端部において間隔を空けて筒状ユニット体に固定することを特徴とする請求項４に記載のステント。
【請求項６】
前記形状保持部材は、形状記憶合金材料からなることを特徴とする請求項３から５のいずれかに記載のステント。
【請求項７】
請求項１から６のいずれかに記載のステント及び当該ステントの内周面及び／又は外周面を被覆する管状カバーを備えていることを特徴とする管状器官の治療具。
【発明の詳細な説明】
【技術分野】
【０００１】
本発明は、人体の血管、尿管、胆管、気管等の管状器官に挿入されて、管状器官の内腔を開いた状態に維持するステント及びそれを用いた管状器官の治療具に関する。
【背景技術】
【０００２】
近年、人体の血管等の管状器官の内腔が閉塞状態になった場合に拡張して再び開いた状態にするため又は脆化した内腔を補強するためにカテーテルを管状器官に通してステントを病変部内に挿入して配置する処置が行われている。例えば、大動脈瘤の治療の１つの手法として、ステントの外周面をグラフトで被覆した治療具を病変部に挿入してステントを血管内で拡張することでグラフトを血管の内周面に貼り付ける治療方法が検討されている。
【０００３】
こうしたステントを用いた治療方法では、人体の管状器官において直管状の部分では挿入配置が容易に行うことができるが、湾曲部分ではステントを挿入配置することが難しく、様々な改良工夫が行われている。
【０００４】
例えば、特許文献１には、弾性線材をジグザグ状に変形させながらスパイラル状に旋回するように形成し、各屈曲部の係止部を糸により結着して弾性線材を湾曲円筒状に形成したステントが記載されている。また、特許文献２には、超弾性形状記憶合金素材からなる第１ワイヤと第２ワイヤを長手方向にジグザグ状に折り曲げて折曲部で互いに交絡させて網目状に形成したステントが記載されている。また、特許文献３には、金属線材を編み込んで筒状に形成し、金属線材のＵ字状に屈曲した部分を十字状に交差した部分に絡めるように編み込んだ編構造を有するステントが記載されている。特許文献４には、グラフト材料チューブの両側の内周面にＺ−ステントを取り付け、中間には外周面にＺ−ステントを配置して弾性材料の両端部をチューブの両側に取り付けて長さを収縮するようにした点が記載されている。
【特許文献１】特開平９−１６４２０９号公報
【特許文献２】特開２００４−３４４６３４号公報
【特許文献３】特開２００４−４９８０６号公報
【特許文献４】特表２００５−５０６８７４号公報
【発明の開示】
【発明が解決しようとする課題】
【０００５】
特許文献１では、ステントを湾曲形成できるものの管状器官の形状に合せて柔軟に変形させることが難しく、予め設置部分の湾曲状態を測定する必要があり、緊急の場合には対応することが困難である。
【０００６】
特許文献２及び３では、金属線材の折り曲げた部分を交絡させておき、ステントが湾曲した場合に交絡部分がずれた状態となることで湾曲状に容易に変形できるようにしているが、ステントの全長にわたるような長い金属線材を折り曲げて用いているためカテーテル内に収納した状態では金属線材が伸びた状態となり、伸びた状態から血管内に放出する際にステント全体が長手方向に収縮するように変形するようになって取り扱いが難しい。
【０００７】
特許文献４では、Ｚ−ステントを長手方向に複数配列して構成されているが、隣接するＺ−ステントは連結されていないため長手方向の変形に弱くカテーテルによる挿入時の取り扱いが難しい。
【０００８】
そこで、本発明は、管状器官の湾曲部に対して柔軟に変形することができるとともに挿入時に長手方向の収縮が少なく容易に取り扱うことが可能なステント及びそれを用いた管状器官の治療具を提供することを目的とするものである。
【課題を解決するための手段】
【０００９】
本発明に係るステントは、閉ループに形成された線材を周方向にジグザグ状に屈曲して両側に複数の屈曲部を間隔を空けて形成し各屈曲部に係止部が形成されている筒状ユニット体を軸方向に複数配列し、隣接する筒状ユニット体の対向する係止部を連結糸により連結して管状に一体形成されたステントであって、少なくとも一部の筒状ユニット体は、少なくとも一方の側の屈曲部群において一部の屈曲部の係止部のみ隣接する筒状ユニット体に連結されて揺動可能に保持されていることを特徴とする。さらに、揺動可能に保持するために連結された前記屈曲部は、他の屈曲部よりも軸方向に突出形成されていることを特徴とする。さらに、揺動可能に保持された筒状ユニット体を含む複数の筒状ユニット体に取り付けられるとともに筒状ユニット体を揺動させて湾曲状態に保持する弾力性を有する形状保持部材を備えていることを特徴とする。さらに、前記形状保持部材は、湾曲状に形成された弾性を有する線材からなりその両端部を筒状ユニット体に固定するとともに周方向に張設された連結糸によりステントの軸方向の外形状に沿うように保持されていることを特徴とする。さらに、一対の前記形状保持部材を一方の端部において間隔を空けて筒状ユニット体に固定し、互いに交差させて他方の端部において間隔を空けて筒状ユニット体に固定することを特徴とする。さらに、前記形状保持部材は、形状記憶合金材料からなることを特徴とする。
【００１０】
本発明に係る管状器官の治療具は、上記のステント及び当該ステントの内周面及び／又は外周面を被覆する管状カバーを備えていることを特徴とする。
【発明の効果】
【００１１】
本発明は、上記のような構成を備えることで、少なくとも一部の筒状ユニット体は、少なくとも一方の側の屈曲部群において一部の屈曲部の係止部のみ隣接する筒状ユニット体に連結されて揺動可能に保持されているので、揺動可能に保持された筒状ユニット体を管状器官の湾曲部に挿入配置すれば、湾曲部に沿うように筒状ユニット体が揺動して容易に湾曲変形することができる。そして、筒状ユニット体が揺動して変形するため、管状器官の湾曲状態が各人で異なっている場合にもそれに柔軟に対応して容易に湾曲変形することが可能となり、ステントを予め準備しておいて緊急の治療に対応することも容易になる。
【００１２】
また、閉ループに形成された線材を周方向にジグザグ状に屈曲して両側に複数の屈曲部を間隔を空けて形成し各屈曲部に係止部が形成されている筒状ユニット体を軸方向に複数配列して構成されているので、各筒状ユニット体は中心から放射方向に拡縮可能で、収縮から拡張に変形する場合に軸方向の長さが大きく変化することなく、カテーテルで挿入する際に容易に取り扱うことができる。そして、各筒状ユニット体は連結糸で隣接する筒状ユニット体に連結されているため、軸方向の変形に対しても十分な耐久力を備えており、管状器官内への挿入時や配置状態において安定した形状に保持される。
【００１３】
そして、揺動可能に保持するために連結された屈曲部を他の屈曲部よりも軸方向に突出形成することで、筒状ユニット体の揺動範囲を大きくすることができ、大きく湾曲した場合にも十分対応することが可能となる。
【００１４】
また、揺動可能に保持された筒状ユニット体を含む複数の筒状ユニット体に取り付けられるとともに筒状ユニット体を揺動させて湾曲状態に保持する弾力性を有する形状保持部材を備えていることで、ステントの湾曲状態を安定して保持できる。そして、形状保持部材が弾力性を有しているので、ステントの挿入時において直管状に変形することも容易に行うことができ、取り扱う上で利便性が向上する。
【００１５】
さらに、形状保持部材を、湾曲状に形成された弾性を有する線材からなりその両端部を筒状ユニット体に固定するとともに周方向に張設された連結糸によりステントの軸方向の外形状に沿うように保持することで、形状保持部材の両端部を筒状ユニット体に固定して外れにくくし、周方向に張設された連結糸により中間部を固定することなく押えてステントの外形状に沿うようにすることで、ステント全体を直管状に変形した場合に形状保持部材がずれて直線状に変形しやすくなる。
【００１６】
また、一対の前記形状保持部材を一方の端部において間隔を空けて筒状ユニット体に固定し、互いに交差させて他方の端部において間隔を空けて筒状ユニット体に固定すれば、ステントの捩れ等の変形に対しても強くなって湾曲状態をより安定した状態に保持することができ、ステント全体の強度を向上させることが可能となる。
【００１７】
そして、形状保持部材として形状記憶合金材料を用いることで、管状器官内に配置した場合に望ましい湾曲状態を実現することができる。
【発明を実施するための最良の形態】
【００１８】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１９】
図１及び図２は、本発明に係る実施形態に関する斜視図及び側面図である。ステント１は、５つの筒状ユニット体Ｕ１、Ｗ、Ｖ、Ｕ２及びＵ３を軸方向に配列して隣接する筒状ユニット体同士を連結糸Ｆにより連結して管状に一体形成されている。
【００２０】
各筒状ユニットは、金属製線材を所定の長さに切断して周方向にジグザグ状に折り曲げて両端部を接続固定し、閉ループ状に形成されている。
【００２１】
筒状ユニット体Ｕ１〜Ｕ３は、直管部に用いられるもので、図３にその展開図（図３（ａ））及び斜視図（図３（ｂ））を示している。金属製線材Ｔを所定の長さに切断して幅ｄ１の間でジグザグ状に折り曲げて屈曲部を形成する。この例では、１０箇所の屈曲部ｎ1〜ｎ10が設けられている。そして、線材Ｔの両端部は接続部Ｓにより接続固定される。接続部Ｓでは、ハンダ等を用いて線材Ｔの両端を固定すればよく、それ以外の金属製線材の接続固定方法を用いてもよい。
【００２２】
各屈曲部には、連結糸Ｆを係止する係止部が形成されている。例えば、図４に示すように、折り曲げ部分を円形状に二重に巻いて捩りバネ状として弾力性を持たせ、連結糸Ｆを円形部分の中から外に通して一旦線材Ｔに掛けた後再び円形部分の中から外に通すように絡めることで、連結糸Ｆは係止部である円形部分から外れることなく係止される。係止部は、これ以外の形状に形成してもよく連結糸Ｆが外れることがなければどのような形状を用いてもよい。
【００２３】
屈曲部ｎ1〜ｎ10が形成された線材Ｔを接続部Ｓで接続して閉ループ状に形成すると、筒状ユニット体の軸方向の両側には、五角形の頂点に屈曲部が配列されるようになる。一方の側には５つの屈曲部ｎ2、ｎ4、ｎ6、ｎ8及びｎ10を配列した屈曲部群が設定され、他方の側には５つの屈曲部ｎ1、ｎ3、ｎ5、ｎ7及びｎ9を配列した屈曲部群が設定される。そして、両側の屈曲部は、軸方向に直交する平面上において配列されるようになる。
【００２４】
筒状ユニット体Ｖ及びＷは、湾曲部に用いられるもので、図５は、筒状ユニット体Ｖに関する展開図（図５（ａ））及び斜視図（図５（ｂ））を示しており、図６は、筒状ユニット体Ｖに関する展開図（図６（ａ））及び斜視図（図６（ｂ））を示している。
【００２５】
筒状ユニット体Ｖは、金属製線材Ｔを所定の長さに切断して幅ｄ１又はｄ２の間でジグザグ状に折り曲げて１０箇所の屈曲部ｋ1〜ｋ10が設けられている。幅ｄ２はｄ１よりも幅が広く設定されており、屈曲部ｋ3及びｋ7において幅がｄ２となるように長く折り曲げ形成されている。各屈曲部には筒状ユニット体Ｕ１〜Ｕ３と同様に連結糸Ｆを係止する係止部が形成されている。また、筒状ユニット体Ｖは、筒状ユニット体Ｕ１〜Ｕ３と同様に線材Ｔの両端部が接続部Ｓで接続固定されて閉ループ状に形成され、軸方向の両側には、一方の側に５つの屈曲部ｋ2、ｋ4、ｋ6、ｋ8及びｋ10を五角形の頂点に配列した屈曲部群が設定され、他方の側に５つの屈曲部ｋ1、ｋ3、ｋ5、ｋ7及びｋ9を五角形の頂点に配列した屈曲部群が設定される。そして、一方の側では軸方向と直交する平面上に配列されているが、他方の側では、屈曲部ｋ3及びｋ7が他の屈曲部よりも軸方向に突出するように設定されている。
【００２６】
筒状ユニット体Ｗは、金属製線材Ｔを所定の長さに切断して幅ｄ１、ｄ２又はｄ３の間でジグザグ状に折り曲げて１０箇所の屈曲部ｍ1〜ｍ10が設けられている。幅ｄ２はｄ１よりも広く設定されており、幅ｄ３はｄ１よりも狭くなるように設定されている。そして、屈曲部ｍ3及びｍ7において幅がｄ２となるように長く折り曲げ形成され、屈曲部ｍ1、ｍ9及びｍ10において幅がｄ３となるように短く折り曲げ形成されている。各屈曲部には筒状ユニット体Ｕ１〜Ｕ３と同様に連結糸Ｆを係止する係止部が形成されている。また、筒状ユニット体Ｗは、筒状ユニット体Ｕ１〜Ｕ３と同様に線材Ｔの両端部が接続部Ｓで接続固定されて閉ループ状に形成され、軸方向の両側には、一方の側に５つの屈曲部ｍ2、ｍ4、ｍ6、ｍ8及びｍ10を五角形の頂点に配列した屈曲部群が設定され、他方の側に５つの屈曲部ｍ1、ｍ3、ｍ5、ｍ7及びｍ9を五角形の頂点に配列した屈曲部群が設定される。そして、一方の側では、屈曲部ｍ2、ｍ4、ｍ6及びｍ8が軸方向と直交する平面上に配列されており、屈曲部ｍ10はその平面より内側に入った位置に設定されている。また、他方の側では、屈曲部ｍ5を通る軸方向と直交する平面に対して、屈曲部ｍ3及びｍ7は軸方向に突出するように設定されており、屈曲部ｍ1及びｍ9はその平面より内側に入った位置に設定されている。
【００２７】
連結糸Ｆは、各筒状ユニット体の両側の各屈曲部に係止されながら周方向に張設され、両端を結んで閉ループ状に形成される。各筒状ユニット体は、各屈曲部を折り曲げて中心に向かって収縮するように変形させることができ、各屈曲部の捩りバネによる弾性力の作用で収縮した状態から自動的に拡張した状態に戻るようになる。そのため、各筒状ユニット体は、その両側に係止された連結糸Ｆの長さを調整することで、所定の大きさに拡張した状態に保持することができる。したがって、カテーテルによりステントを管状器官に挿入した際に筒状ユニットの拡張する大きさを予め設定することが可能となる。
【００２８】
本実施形態では、筒状ユニット体Ｕ１及びＷでは、両側の屈曲部群にそれぞれ連結糸Ｆが周方向に張設されている。そして、筒状ユニット体Ｗの軸方向に突出する屈曲部ｍ3及びｍ7が、さらに筒状ユニット体Ｕ１に係止された連結糸Ｆに連結されている。筒状ユニット体Ｗの屈曲部ｍ3は、図７に示すように、筒状ユニット体Ｕ１の屈曲部ｎ2及びｎ4の間の連結糸Ｆが絡まることで連結されており、屈曲部ｍ7も同様に、屈曲部ｎ6及びｎ8の間の連結糸Ｆが絡まることで連結されている。そのため、筒状ユニット体Ｗは、屈曲部ｍ3及びｍ7を支点として筒状ユニット体Ｕ１に対し揺動可能に保持されるようになる。そして、筒状ユニット体Ｗの屈曲部ｍ3及びｍ7が突出し屈曲部ｍ1及びｍ9が内側に入った位置に設定されているので、筒状ユニット体Ｗが揺動する際に屈曲部ｍ1及びｍ9が筒状ユニット体Ｕ１に当接するまで揺動範囲を広く設定することができ、大きく湾曲させることが可能となる。
【００２９】
また、筒状ユニット体Ｖでは、筒状ユニット体Ｗ側の屈曲部群には連結糸Ｆが周方向に張設されている。そして、筒状ユニット体Ｖの軸方向に突出する屈曲部ｋ3及びｋ7が、さらに筒状ユニット体Ｗに係止された連結糸Ｆに連結されている。筒状ユニット体Ｖの屈曲部ｋ3は、筒状ユニット体Ｗの屈曲部ｍ2及びｍ4の間の連結糸Ｆが絡まることで連結されており、屈曲部ｋ7は、屈曲部ｍ6及びｍ8の間の連結糸Ｆが絡まることで連結されている。そのため、筒状ユニット体Ｖは、屈曲部ｋ3及びｋ7を支点として筒状ユニット体Ｗに対し揺動可能に保持されるようになる。そして、筒状ユニット体Ｖの屈曲部ｋ3及びｋ7が突出し筒状ユニット体Ｗの屈曲部ｍ10が内側に入った位置に設定されているので、筒状ユニット体Ｖが揺動する際に屈曲部ｍ1及びｍ9が筒状ユニット体Ｗに当接するまで揺動範囲を広く設定することができ、大きく湾曲させることが可能となる。
【００３０】
筒状ユニット体ＶとＵ２の間では、図８に示すように、互いに対向する屈曲群が１本の連結糸Ｆにより交互に屈曲部を係止して連結されており、連結糸Ｆは周方向に張設されて両端部を結び閉ループ状となっている。そのため、筒状ユニット体ＶとＵ２の間は揺動することなく直管状に一体連結される。同様に、筒状ユニット体Ｕ２及びＵ３の間も互いに対向する屈曲群が１本の連結糸Ｆにより交互に屈曲部を係止して連結されており、揺動することなく直管状に一体連結される。
【００３１】
図９は、ステント１を湾曲させた状態を示す側面図である。筒状ユニット体Ｗ及びＶが揺動可能に保持されているため、両者を湾曲形状に合せて揺動させれば容易に所望の湾曲状態に設定することができる。各筒状ユニット体は、中心から放射方向に拡縮可能であり、収縮状態から拡張状態となるまで軸方向の長さが大きく変化することがないので、ステント１全体の軸方向の長さが大きく変化することがなく湾曲した管状器官に容易に挿入配置することができる。
【００３２】
図１０は、ステント１の外周面を筒状カバーで被覆した状態を示しており、例えば、人工血管用の筒状カバーを被覆し血管用の治療具として使用することができる。また、ステント１の内周面に密着するように筒状カバーを設けてもよい。
【００３３】
筒状ユニット体に用いる線材としては、ステンレス、チタンとニッケルとの合金等の人体に無害で弾力性があり、加工性に優れた材料が好ましい。また、樹脂材料を用いてジグザグ状に成形加工して閉ループ状に形成したものを用いることもできる。
【００３４】
連結糸Ｆに用いる糸としては、ポリプロピレン等の合成繊維からなる糸を用いればよい。
【００３５】
以上説明した筒状ユニット体は、両側に五角形の頂点に屈曲部を配列したものを用いているが、これ以外の多角形の頂点に配列したものを用いてもよい。例えば、八角形のように頂点の数が多くなると、筒状ユニット体の形状が円筒形に近くなり、全体に強度が大きくなるとともに各部の強度をより均等にすることができる。また、湾曲部を構成する筒状ユニット体において軸方向に突出する屈曲部の位置や数はステントの湾曲形状に合せて適宜設定すればよく、またその突出する長さについても湾曲する曲率に応じて適宜設定することができる。また、筒状ユニット体の軸方向の幅や大きさについても個別に適宜設定すればよく、配置する管状器官の形状に合せて設計することが可能である。
【００３６】
以上説明したステント１に湾曲状態を保持する弾力性を有する形状保持部材を取り付ければ、安定した状態で図９に示すような湾曲形状を保持させることができる。
【００３７】
図１１は、形状保持部材として湾曲状に形成された弾性を有する線材を用いた実施形態に関する斜視図である。形状保持部材Ｘ１及びＸ２は、例えば、ナイチノール等の形状記憶合金材料からなる線材を所定の長さで切断し、予め湾曲するように形成されており、配列された筒状ユニット体の外方から取り付けられて軸方向に配置されている。そして、形状保持部材Ｘ１は、一方の端部を筒状ユニット体Ｕ１の線材に接続部Ｙ１で接続固定し、他方の端部を筒状ユニット体Ｕ３の線材に接続部Ｙ２で接続固定している。同様に、形状保持部材Ｘ２は、一方の端部を筒状ユニット体Ｕ１の線材に接続部Ｚ１で接続固定し、他方の端部を筒状ユニット体Ｕ３の線材に接続部Ｚ２で接続固定している。そのため、形状保持部材の湾曲形状に合せて筒状ユニット体Ｗ及びＶが揺動してステント１は全体として湾曲した状態に保持される。
【００３８】
図１２は、形状保持部材Ｘ１及びＸ２の取り付け状態を示す平面図である。形状保持部材Ｘ１及びＸ２は、筒状ユニット体Ｕ１に一方の端部を所定の間隔を空けて接続固定された後位置Ｐで一旦交差して所定の間隔を空けて軸方向に並行して配置され、他方の端部を筒状ユニット体Ｕ３に接続固定される。そして、形状保持部材Ｘ１及びＸ２は、周方向に張設された連結糸Ｆと交差する際に連結糸Ｆの内側に挿通されており、屈曲部の上では、図１３に示すように、係止部に係止された連結糸Ｆと屈曲部との間に挟持されている。そのため、形状保持部材は、ステント１の外形に沿って設定されるとともに周方向に位置ずれすることなく安定した状態に保持される。
【００３９】
形状保持部材は弾性変形することができるので、ステントを直管状態に容易に変形することができ、ステントをカテーテルに装着する際にも容易に取り扱うことが可能となる。
【００４０】
以上説明したように形状保持部材を取り付けることで、ステントを所定の湾曲状態に保持することができるとともにステントの捩りに対する強度や軸方向の変形に対する強度を高めることができる。特に、湾曲部では筒状ユニット体が揺動可能に連結されているため強度が弱くなるが、２本の形状保持部材を交差させて配設することで湾曲部の強度を高めることができる。
【００４１】
形状保持部材としては、１本の弾性を有する線材を用いてもよく、線材以外にもシリコンゴム等の樹脂材料を用いて湾曲形状の内側に貼り付けて形状を保持するようにしてもよい。また、形状保持部材をステントの内方から取り付けて形状を保持するようにすることもできる。
【００４２】
図１４は、形状保持部材を取り付けたステントの外周面を筒状カバーＣで被覆した状態を示す斜視図である。図１０の場合と同様にステントの内周面に密着するように筒状カバーを取り付けるようにしてもよい。
【００４３】
図１５は、心臓Ｈから血液を送り出す大動脈Ｂにステント１を挿入配置した状態を示す説明図である。大動脈Ｂは、心臓の上部から大きく湾曲して延出しており、この湾曲部分に心臓から送出された血液の噴流が衝突して上部に動脈瘤を形成しやすいため、動脈瘤の治療が必要となる部分である。この場合、図１１に示すようなステントを挿入配置すれば効果的な治療を行うことができる。すなわち、大動脈の湾曲形状に合せて形状保持部材を湾曲形成してステントに取り付ければ湾曲状態のステントを簡単に形成することができる。そして、大動脈に配置する場合には、大動脈の湾曲部分に合せて形状保持部材が撓むことで各人の大動脈の湾曲程度に合せて形状を調整することができ、緊急を要する治療の際にも対応することができる。また、挿入配置後に形状保持部材が大動脈の内面の上部に配置されるため、血液の噴流の衝撃力に対しても変形することなく十分な強度を備えている。
【図面の簡単な説明】
【００４４】
【図１】本発明に係る実施形態に関する斜視図である。
【図２】本発明に係る実施形態に関する側面図である。
【図３】筒状ユニット体に関する展開図及び斜視図である。
【図４】屈曲部に連結糸が係止された状態を示す拡大斜視図である。
【図５】筒状ユニット体に関する展開図及び斜視図である。
【図６】筒状ユニット体に関する展開図及び斜視図である。
【図７】連結糸による連結状態を示す説明図である。
【図８】連結糸による連結状態を示す説明図である。
【図９】ステントを湾曲させた状態を示す側面図である。
【図１０】筒状カバーで被覆したステントに関する斜視図である。
【図１１】形状保持部材を取り付けたステントに関する斜視図である。
【図１２】形状保持部材の取り付け状態を示す平面図である。
【図１３】屈曲部における形状保持部材の取り付け状態を示す拡大斜視図である。
【図１４】筒状カバーで被覆したステントに関する斜視図である。
【図１５】大動脈にステントを挿入配置した状態を示す説明図である。
【符号の説明】
【００４５】
１    ステント
Ｆ    連結糸
U1    筒状ユニット体
U2    筒状ユニット体
U3    筒状ユニット体
Ｖ    筒状ユニット体
Ｗ    筒状ユニット体
X1    形状保持部材
X2    形状保持部材
【図１】
2008200293.tif 000003
【図２】
2008200293.tif 000004
【図３】
2008200293.tif 000005
【図４】
2008200293.tif 000006
【図５】
2008200293.tif 000007
【図６】
2008200293.tif 000008
【図７】
2008200293.tif 000009
【図８】
2008200293.tif 000010
【図９】
2008200293.tif 000011
【図１０】
2008200293.tif 000012
【図１１】
2008200293.tif 000013
【図１２】
2008200293.tif 000014
【図１３】
2008200293.tif 000015
【図１４】
2008200293.tif 000016
【図１５】
2008200293.tif 000017